(57)【要約】【課題】冊子本体よりもサイズが小さい印刷物が挿入された冊子を容易に作成でき、かつ、設置スペースを縮小できるウエブ折り機を提供する。【解決手段】ウエブ折り機１は、第１のウエブ１０ａの幅方向中間部をその長手方向に沿って折り曲げる第１の三角板５０と、第１の三角板５０の裏側面に対しその表側面が対向した状態で配置され、第２のウエブ１０ｂの幅方向中間部をその長手方向に沿って折り曲げる第２の三角板６０と、第１の三角板５０よりも第１のウエブ１０ａの走行方向の下流側に配置され、第１の三角板５０によって折り曲げられた第１のウエブ１０ａを挟み込むニップローラ７０とを備え、第２の三角板の頂点部が第１の三角板５０とニップローラ７０との間に配置されている。【選択図】図１
2008013320.tif 000002
【特許請求の範囲】
【請求項１】
第１のウエブの幅方向中間部をその長手方向に沿って折り曲げる第１の三角板と、
前記第１の三角板の裏側面に対しその表側面が対向した状態で配置され、第２のウエブの幅方向中間部をその長手方向に沿って折り曲げる第２の三角板と、
前記第１の三角板よりも前記第１のウエブの走行方向の下流側に配置され、前記第１の三角板によって折り曲げられた前記第１のウエブを挟み込むニップローラと
を備え、
前記第２の三角板の頂点部が前記第１の三角板と前記ニップローラとの間に配置されること
を特徴とするウエブ折り機。
【請求項２】
請求項１に記載のウエブ折り機において、
前記第１の三角板及び前記第２の三角板の少なくとも一方が、その幅方向に移動可能に設けられること
を特徴とするウエブ折り機。
【発明の詳細な説明】
【技術分野】
【０００１】
本発明は、ウエブ折り機に関するものである。
【背景技術】
【０００２】
輪転印刷機等は、帯状に形成された印刷用紙（ウエブ）を折りたたむウエブ折り機を備えている。この種のウエブ折り機において、ウエブは、三角板によってその幅方向の中間部分がその長手方向に沿って折り曲げられるとともに、三角板よりも下流側に設けられたニップローラによって二つ折りに折りたたまれる。
ここで、ウエブ折り機は、２つの三角板を隣接して設置するとともにこれらの三角板に対して１条ずつウエブを供給し、これらのウエブをそれぞれ別個に折りたたむものが知られている（例えば、特許文献１参照）。
【特許文献１】特許第１３８４４７１号公報
【０００３】
この従来のウエブ折り機は、ウエブに接着剤を供給するノズルを備えており、二つ折りにされた２条のウエブの折部同士、及び、折部と反対側の４つの端部のうち内側の２つの端部同士を接着することによって、一部のページのみが袋綴じとされた、袋綴じ付冊子を一回の折り加工で作成することができる。
【発明の開示】
【発明が解決しようとする課題】
【０００４】
しかし、この従来のウエブ折り機は、冊子本体よりもサイズの小さい冊子が挿入されるタイプの袋綴じ付冊子を作成することが困難である。
また、この従来のウエブ折り機は、２枚の三角板がウエブの幅方向に隣接して設置されており、その設置スペースが大きくなるという問題があった。
本発明の課題は、冊子本体よりもサイズが小さい印刷物が挿入された冊子を容易に作成でき、かつ、設置スペースを縮小できるウエブ折り機を提供することである。
【課題を解決するための手段】
【０００５】
本発明は、以下の解決手段により、前記課題を解決する。
請求項１の発明は、第１のウエブの幅方向中間部をその長手方向に沿って折り曲げる第１の三角板と、前記第１の三角板の裏側面に対しその表側面が対向した状態で配置され、第２のウエブの幅方向中間部をその長手方向に沿って折り曲げる第２の三角板と、前記第１の三角板よりも前記第１のウエブの走行方向の下流側に配置され、前記第１の三角板によって折り曲げられた前記第１のウエブを挟み込むニップローラとを備え、前記第２の三角板の頂点部が前記第１の三角板と前記ニップローラとの間に配置されることを特徴とするウエブ折り機である。
請求項２の発明は、請求項１に記載のウエブ折り機において、前記第１の三角板及び前記第２の三角板の少なくとも一方が、その幅方向に移動可能に設けられることを特徴とするウエブ折り機である。
【発明の効果】
【０００６】
以上説明したように、本発明のウエブ折り機は、第２の三角板の頂点部を第１の三角板とニップローラとの間に配置したから、第２のウエブの折部が、第１のウエブの内面側に挟まれる。したがって、冊子本体の内面側にこれよりもサイズの小さい印刷物が挿入された冊子を容易に作成することができる。
また、第２の三角板は、第１の三角板の裏側面に対して、その表側面が対向した状態で配置されているので、ウエブ折り機の設置スペースを縮小することができる。
【発明を実施するための最良の形態】
【０００７】
本発明は、冊子本体よりもサイズが小さい印刷物が挿入された冊子を容易に作成でき、かつ、設置スペースを縮小できるウエブ折り機を提供するという課題を、第１のウエブとこれよりも狭幅の第２のウエブとを鉛直方向に重ねて走行させるとともに、これらのウエブをそれぞれ折り曲げる第１の三角板と第２の三角板とを設け、第２の三角板の頂点部を第１の三角板と第１のウエブを折りたたむニップローラとの間に配置することによって解決した。
【実施例１】
【０００８】
以下、図面を参照して、本発明のウエブ折り機の実施例１を説明する。
図１は、実施例１のウエブ折り機の構成を示す図であり、（ａ）、（ｂ）は、それぞれ側面図、平面図である。
ウエブ折り機１は、帯状に形成された印刷用紙（ウエブ１０）を冊子状に加工するものであり、第１のスリッタ２０、ガイドローラ３０、ターンバー４０、第１の三角板５０、第２の三角板６０、ニップローラ７０、第２のスリッタ８０、裁断機９０を備えている。
ウエブ折り機１に備えられた上記各要素は、ウエブ１０の走行方向の上流側から下流側に向けて上記の順番で配置されている。
【０００９】
このウエブ折り機１によって加工されるウエブ１０は、その面部に予め印刷がされた印刷物である。このウエブ１０は、長手方向の一方の端部に巻取軸を備えるとともに、この巻取軸を中心に巻き取られることによってロール状に加工され、その長手方向の他方の端部側から巻き出されるようになっている。以下、このロール状に加工されたウエブ１０をウエブロール１１と称して説明する。
ウエブロール１１は、巻取軸の軸線方向が水平とされた状態で設置されており、ウエブ１０は、その面部が略水平とされた状態で巻き出される。
以下、ウエブ１０の面部であって、ウエブロール１１から巻き出されたときに下方を向いた面部を裏面部と、上方を向いた面部を表面部と称して説明する。
【００１０】
第１のスリッタ２０は、ウエブ１０の幅方向の中間部分をウエブ１０の長手方向に沿って裁断するものである。
第１のスリッタ２０は、鉛直方向に配列された一組のローラを備えている。これらのローラは、その軸線方向がウエブ１０の幅方向と平行に配置されており、ウエブ１０を挟みこんでいる。
一組のローラのうち、ウエブ１０の上方に配置されたローラは、刃部２１を備えている。この刃部２１は、リング状に形成され、ローラの外周面の全周にわたって形成されている。
この刃部２１は、ローラが回転すると回転刃として機能し、ウエブ１０は、これによって長手方向に平行なスリット（切り込み）が形成され、その幅方向の中間部分から第１のウエブと第２のウエブとの２つの部分に分割される。
【００１１】
以下、第１のスリッタ２０によって２つの部分に分割されたウエブ１０のうち、ウエブ１０の走行方向の上流側から見て右側に配置された第１のウエブをウエブ１０ａ、左側に配置された第２のウエブをウエブ１０ｂと称して説明する。
ここで、第１のスリッタ２０に設けられた刃部２１は、ウエブ１０の幅方向のセンタよりもウエブ１０の幅方向左端部寄りに配置されており、ウエブ１０ａの幅方向寸法は、ウエブ１０ｂよりも大きく（広幅に）なっている。
ガイドローラ３０は、第１のスリッタ２０よりもウエブ１０の走行方向下流側であって第１のスリッタ２０の上方に設けられたローラである。ウエブ１０は、第１のスリッタ２０によって裁断された後、広幅のウエブ１０ａの走行方向が斜め上方に向けて屈曲され、ウエブ１０ａは、その裏面部がこのガイドローラ３０に支持されるようになっている。
【００１２】
ターンバー４０は、ウエブ１０ｂの走行方向をその幅方向に平行に移動させるものであり、第１のバー４１、第２のバー４２を備えている。
これらの第１のバー４１及び第２のバー４２は、ともに断面形状が略円形とされた棒状の部材である。
第１のバー４１、第２のバー４２は、ともにその長手方向がウエブ１０ｂの走行方向に対して例えば、４５°傾斜した状態で平行に配置されている。ウエブ１０ｂは、これらの第１のバー４１、第２のバー４２に巻き付いており、その走行方向が第１のバー４１によって、例えば、９０°、第２のバー４２によってさらに、例えば、９０°屈曲される。
ウエブ１０ｂは、その走行方向の上流側（ウエブロール１１側）から見た場合に、第１のバー４１によってその走行方向が右方に屈曲され、その走行方向は、ウエブ１０ａの幅方向と平行になる。また、ウエブ１０ｂは、第２のバー４２によって走行方向が屈曲されることによって、その走行方向がウエブ１０ａと平行になる。
前述のように、ウエブ１０ａは、その走行方向が斜め上方に屈曲されているので、ウエブ１０ａとウエブ１０ｂとは、ウエブ１０ａの裏面部とウエブ１０ｂの表面部とが対向した状態で鉛直方向に重なって平行に走行するようになっている。そして、このウエブ１０ａとウエブ１０ｂとは、これらを上方から見た場合、その幅方向のセンタが鉛直方向に重なっている（図１（ｂ）参照）。
【００１３】
第１の三角板５０、第２の三角板６０は、それぞれウエブ１０ａ、ウエブ１０ｂの幅方向のセンタをその長手方向に沿って二つ折りにするものであり、フォーマとも称されるものである。
第１の三角板５０、第２の三角板６０は、それぞれ平面形が略二等辺三角形とされたボード状の部材であり、ともにその底辺部がウエブ１０の幅方向と平行とされ、かつ、その頂点部（頂角部）が底辺部よりも下方に配置されている。
第１の三角板５０、第２の三角板６０は、ともにその表側面が水平面に対して傾斜した状態で配置されている。なお、本明細書において、三角板の表側面とは、三角板の面部のうちウエブ１０を折り曲げる際にこのウエブ１０の裏面部に当接する側の面部を意味するものとする。
ウエブ１０ａ、ウエブ１０ｂは、第１の三角板５０、第２の三角板６０よりも走行方向の上流側において、その面部が略水平とされた状態で走行し、第１の三角板５０、第２の三角板６０によって、その走行方向がそれぞれ、例えば、略９０°屈曲されて鉛直方向とされる。
【００１４】
ここで、第１の三角板５０、第２の三角板６０は、その平面形が相似形であり、第１の三角板５０が第２の三角板６０よりも底辺寸法、高さ寸法が大きく設定されている。そして、第２の三角板６０は、その表側面が第１の三角板５０の裏側面に対向して配置されている。
また、第１の三角板５０の表側面と第２の三角板６０の表側面とは、略平行になっている。さらに、第１の三角板５０の頂点部と第２の三角板６０の頂点部とは、略同じ水平面に配置されている。
【００１５】
第１の三角板５０、第２の三角板６０は、それぞれ図示しない接着剤供給部を備えている。
接着剤供給部は、第１の三角板５０、第２の三角板６０の斜辺部に設けられた孔部からエマルジョン系の接着剤をウエブ１０に供給するものであり、これによって、二つ折りにされたウエブ１０ａ、ウエブ１０ｂは、それぞれその内側面であって幅方向の両端部に接着剤が塗布される。
ここで、本明細書においてウエブ１０の内側面とは、ウエブ１０を折り曲げ、又は、折りたたんだときに対向する面部を意味するものとする。
【００１６】
ニップローラ７０は、第１の三角板５０、第２の三角板６０の下方に設けられた一対のローラであり、ウエブ１０ａ、ウエブ１０ｂを併せて挟み込むことによって第１の三角板５０、第２の三角板６０によって折り曲げられたウエブ１０ａ、ウエブ１０ｂをそれぞれ二つ折りに折りたたむようになっている。
第２の三角板６０は、その頂点部が第１の三角板５０とこのニップローラ７０との間に配置されている。
【００１７】
第２のスリッタ８０は、第１のスリッタ２０と同様に外周面にリング状の刃が設けられたローラを備え、このローラが回転することによってウエブ１０ａの折部１２ａが形成された側の端部にウエブ１０の長手方向と平行なスリットを形成するものである（図２（ａ）参照）。
なお、ニップローラ７０とこの第２のスリッタ８０との間には、ウエブ１０の走行方向を、例えば、略９０°屈曲させる図示しないターンバーが備えられており、第２のスリッタ８０は、その面部が水平とされた状態のウエブ１０にスリットを形成するようになっている。
裁断機９０は、第２のスリッタ８０よりもウエブ１０の走行方向下流側に配置されている。裁断機９０は、連続用紙であるウエブ１０の長手方向の中間部分を所定の間隔で裁断し、所定のサイズの冊子状に形成するものである。
【００１８】
次に、実施例１のウエブ折り機１の動作について説明する。
ウエブ１０は、ウエブロール１１から巻き出されるとともに、第１のスリッタ２０によってウエブ１０ａとウエブ１０ａよりも狭幅なウエブ１０ｂとに分割される。
このうちウエブ１０ａは、上方に屈曲されてガイドローラ３０に支持される。また、ウエブ１０ｂは、ターンバー４０によってその進行方向がウエブ１０ｂの幅方向に平行移動され、ウエブ１０ａ、ウエブ１０ｂは、鉛直方向に重なった状態でそれぞれ第１の三角板５０、第２の三角板６０に搬送される。このとき、ウエブ１０ａ及びウエブ１０ｂの幅方向のセンタは、鉛直方向に揃っている。
ウエブ１０ａは、第１の三角板５０によって幅方向のセンタがその長手方向に沿って折り曲げられる。また、ウエブ１０ｂも同様に、第２の三角板６０によって幅方向のセンタがその長手方向に沿って折り曲げられる。
【００１９】
図２は、実施例１のウエブ折り機によって加工されたウエブを示す図であり、（ａ）は、図１のＩＩａ−ＩＩａ矢視断面図であり、（ｂ）は、図１のＩＩｂ−ＩＩｂ矢視部断面図である。
なお、この図２、後述する図３及び図５は、理解を容易にするため、二つ折りにされたウエブの内側面を離間させて示している。
ウエブ１０ａは、第１の三角板５０によって二つ折りにされることによって、その幅方向に折部１２ａを境界とした二つの領域が形成され、ニップローラ７０によって折りたたまれるまで、その走行方向に直交する断面形状が略Ｖ字状となり、これらの二つの領域に挟まれた空間部が形成される。
前述のように、第２の三角板６０は、その頂点部が第１の三角板５０とニップローラ７０との間に配置されており、ウエブ１０ｂの折部１２ｂは、ウエブ１０ａに形成される前述の空間部に挿入される（図２（ａ）参照）。
【００２０】
また、第１の三角板５０の接着剤供給部は、ウエブ１０ａの内側面であって折部１２ａとは反対側の端部（図２において、矢印Ｇａで示す位置）に接着剤を供給する。また、第２の三角板６０の接着剤供給部も、ウエブ１０ｂの内側面であって折部１２ｂとは反対側の端部の一方（図２において、矢印Ｇｂで示す位置）に接着剤を供給する。
この後、ウエブ１０ａ、ウエブ１０ｂは、揃ってニップローラ７０に挟まれて折りたたまれる。このとき、ウエブ１０ａ、ウエブ１０ｂの折部１２ａ、１２ｂとは反対側の端部が重なるように、第１の三角板５０、第２の三角板６０は予め設置されている。
【００２１】
次いで、ウエブ１０ａは、第２のスリッタ８０によって、折部１２ａが形成された側の端部（図２（ａ）において破線で示す位置）にウエブ１０の長手方向と平行なスリットが形成され、ウエブ１０ｂと併せて裁断機９０によって冊子状に裁断される。
ここで、ウエブ１０ａは、幅方向の一方の端部が折部１２ａであるとともに他方の端部が接着剤によって接着されるので、折部１２ａが形成された側の端部にスリットが形成されると、この端部側に前小口部を備えるとともに、これとは反対側の端部に背部が設けられた冊子状に形成される。
【００２２】
これに対し、ウエブ１０ｂは、ウエブ１０ａよりも狭幅に形成されているので、ウエブ１０ａの折部１２ａが形成された側の端部にスリットが形成されても、その折部１２ｂにスリットが形成されず、折部１２ｂが残る。
また、ウエブ１０ｂは、折部１２ｂとは反対側の端部に接着剤が塗布され、かつ、この端部は、ウエブ１０ａの接着剤が塗布された端部に重るので、ウエブ１０ａ及びウエブ１０ｂは、冊子本体（ウエブ１０ａ）よりも小さいサイズの冊子（ウエブ１０ｂ）が冊子本体に挿入された袋綴じ付の冊子として形成される。
【００２３】
以上、説明したように、実施例１のウエブ折り機１によれば、以下の効果を得ることができる。
（１）第２の三角板６０の頂点部を第１の三角板５０とニップローラ７０との間に配置したから、ウエブ１０ｂの折部１２ｂをウエブ１０ａの内面側に挿入することができる。
したがって、ウエブ１０ａによって形成される冊子よりもサイズが小さくかつ袋綴じとされた冊子がウエブ１０ａによって形成される冊子に挿入された袋綴じ付きの冊子を容易に作成することとができる。
（２）第１の三角板５０の裏側面と第２の三角板６０の表側面とを対向させて配置するとともに、ウエブ１０ａとウエブ１０ｂとを鉛直方向に重ねて走行させるので、ウエブ折り機１の設置スペースを縮小することができる。
【実施例２】
【００２４】
次に本発明のウエブ折り機の実施例２について説明する。
なお、以下説明する実施例２において、上述した実施例１と同様な機能を果たす部分には、同一の符号又は末尾に統一した符号を付して、重複する説明や図面を適宜省略する。
図３は、実施例２のウエブ折り機を示す図であり、（ａ）、（ｂ）は、それぞれ平面図、正面図である。
実施例２のウエブ折り機２は、実施例１のウエブ折り機１に備えられた第２の三角板６０に相当する第２の三角板１６０を備え、この第２の三角板１６０は、その幅方向に移動（スライド）可能に設けられている。
【００２５】
また、ウエブ折り機２は、ウエブ１０ａを折りたたむニップローラ７０に隣接して、ウエブ１０ｂを折りたたむニップローラ１７０を備えている。さらに、ウエブ折り機２は、これらのニップローラ７０、１７０の下方に、ウエブ１０ａ、１０ｂを併せて折りたたむニップローラ２７０を備えている。
実施例２のウエブ折り機２は、第１の三角板５０の裏側面と第２の三角板６０の表側面とを対向させて配置することによって実施例１のウエブ折り機１と同様に機能し、第１のウエブ１０ａの内面側に第２のウエブ１０ｂを挟むことができる（図２参照）。
これに対し、第２の三角板１６０をスライドさせると、ウエブ折り機２は、第２の三角板１６０の頂点部が第１の三角板５０とニップローラ７０との間に形成される領域から外れるので、二つの三角板がウエブの幅方向に隣接して配置された公知のウエブ折り機と同様に機能する。
【００２６】
図３（ｃ）は、図３（ｂ）のＣ−Ｃ矢視部におけるウエブの断面図である。
図３（ｃ）に示すように、ウエブ１０ａによって形成された冊子、及び、ウエブ１０ｂによって形成された冊子は、隣接して配置され、かつ、それぞれの一方の端部同士が接着されている。
このウエブ折り機２は、第２の三角板１６０をスライドさせることによって、図３（ｃ）に示すようなウエブ１０ｂがウエブ１０ａの内面側に挿入されていない冊子を作成することができる。
また、ウエブ１０ａとウエブ１０ｂの幅方向寸法が同じとなるように第１のスリッタ２０の刃部２１の位置を設定することによって、断面形状が略Ｗ字状の冊子を作成することもできる。この場合、第１のウエブ１０ａによって形成される冊子と、第２のウエブ１０ｂによって形成される冊子とを接着せず、これらの冊子を重ねて中綴じの冊子を作成することもできる。
【００２７】
（変形例）
本発明は、以上説明した実施例に限定されることなく、種々の変形や変更が可能であって、それらも技術的範囲内である。
（１）本発明のウエブ折り機の構成は、実施例に記載したものに限られず、適宜変更が可能である。例えば、実施例１のウエブ折り機１は、一条のウエブ１０を第１のスリッタ２０によって分割して２条のウエブ（ウエブ１０ａ、ウエブ１０ｂ）を形成したが、これに限らず、予め２条のウエブを用意してもよい。
図４は、本発明のウエブ折り機の変形例を示す図であり、（ａ）、（ｂ）は、それぞれ側面図、平面図である。
この変形例のウエブ折り機３は、ウエブ１０ａとウエブ１０ｂとが予め上下方向に重なって走行するようにウエブロール１１ａ、１１ｂが配置されている。したがって、実施例１のウエブ折り機１に備えられた第１のスリッタ２０、ガイドローラ３０、ターンバー４０に相当するものが不要である。したがって、装置の設置スペースを縮小できる。
【００２８】
（２）本発明のウエブ折り機は、接着剤の供給位置、スリットの位置を変更することによって、さまざまなバリエーションの冊子を作成することができる。
以下、本発明のウエブ折り機によって作成される冊子のバリエーションについて説明する。また、適宜ウエブ１０ａによって形成される冊子を冊子本体、ウエブ１０ｂによって形成される冊子を小冊子と称して説明する。
図５は、本発明のウエブ折り機によって作成される冊子のバリエーションを示す図である。
図５（ａ）に示す冊子Ｐ１は、冊子本体の片方のページの端部に対し、小冊子の片方のページの端部が接着されたものである。この冊子Ｐ１は、ウエブ１０ａの折部１２ａとは反対側の端部のうちの一方にのみ接着剤を塗布するとともにウエブ１０ｂに接着剤を塗布せず、また、ウエブ１０ａの折部１０ａをスリットしないことによって作成できる。
図５（ｂ）に示す冊子Ｐ２は、冊子本体の片方のページの中央部に小冊子が設けられたものである。この冊子Ｐ２は、ウエブ１０ａには接着剤を塗布せず、折部１２ａもスリットしない。そして、ウエブ１０ｂの外側面であって、折部１２ｂに接着を塗布し、この部分を冊子本体に接着して作成する。
図５（ｃ）に示す冊子Ｐ３は、冊子Ｐ１と同様に冊子本体の片方のページの端部に小冊子が設けられた冊子である。冊子Ｐ３は、ウエブ１０ｂの折部がスリットされる。このスリットは、例えば、第２の三角板よりもウエブ１０の走行方向上流側に第３のスリッタを設け、ウエブ１０ｂを折り曲げる前に予め形成される。
この冊子Ｐ３は、ウエブ１０ａの折部１２ａとは反対側の端部のうちの一方にのみ接着剤を塗布し、かつ、ウエブ１０ｂのスリットされた端部とは反対側の端部における内面側に接着剤を塗布して作成する。
【００２９】
図５（ｄ）に示す冊子Ｐ４は、冊子Ｐ３と同様にウエブ１０ｂの折部がスリットされ、ウエブ１０ｂは、二枚の印刷物に分割されている。冊子Ｐ４は、この二枚の印刷物の端部が、冊子本体のそれぞれのページの端部に対して接着されたものである。
この冊子Ｐ４は、ウエブ１０ａの折部１２ａとは反対側の端部に接着剤を塗布し、ウエブ１０ａの折部１２ａをスリットしないことによって作成できる。
図５（ｅ）に示す冊子Ｐ５は、冊子本体が表表紙と裏表紙の二枚に分割され、これらの一方の端部同士が、小冊子の端部によって接続されたものである。したがって、その断面形状は、図５（ｅ）に示すように略Ｍ字状となっている。
この冊子Ｐ５は、実施例１と同様にウエブ１０ａの折部１２ａをスリットし、このスリットされた端部とは反対側の端部に接着剤を塗布して作成できる。
図５（ｆ）に示す冊子Ｐ６は、冊子本体の背部に小冊子の背部が接着されたものである。この冊子Ｐ６は、ウエブ１０ａの折部１２ａ及びウエブ１０ｂの折部１２ｂをともにスリットし、これとは反対側の端部を接着するとこによって作成できる。
図５（ｇ）に示す冊子Ｐ７は、冊子本体及び小冊子が、ともに袋綴じとされたものである。冊子Ｐ７は、実施例１と同様な位置に接着剤を供給するとともに、実施例１においてウエブ１０ａにスリットが形成される位置にミシン目が形成されている。このようなミシン目は、第２のスリッタ８０の刃部を交換することによって形成することができる。
【図面の簡単な説明】
【００３０】
【図１】実施例１のウエブ折り機を示す図である。
【図２】図１のウエブ折り機によって加工されたウエブの断面図である。
【図３】実施例２のウエブ折り機を示す図である。
【図４】変形例のウエブ折り機を示す図である。
【図５】本発明のウエブ折り機によって作成される冊子のバリエーションを示す図である。
【符号の説明】
【００３１】
１  ウエブ折り機
１０、１０ａ、１０ｂ  ウエブ
５０  第１の三角板
６０  第２の三角板
７０  ニップローラ
【図１】
2008013320.tif 000003
【図２】
2008013320.tif 000004
【図３】
2008013320.tif 000005
【図４】
2008013320.tif 000006
【図５】
2008013320.tif 000007